(57)【要約】    【課題】  ハロセラピー（塩微粒子療法）仕様のエアロゾルが浮遊する空間を、容易に、かついかなる場所においても形成することができる有用溶質エアロゾル発生装置を提供すること。    【解決手段】  有用溶質エアロゾル発生装置１０は、有用な溶質および溶媒とからなる溶液Ｓを収容する霧化槽２と、該霧化槽２中の溶液を霧化するための超音波振動を発生する振動発生部５とを備えていることを、主たる構成とする。振動発生部５は、特定の周波数で振動する振動子３と、振動子３を作動させる高周波発振回路４とを備えて構成される。特定の周波数としては、２．４ＭＨｚ以上３．０ＭＨｚ以下のものを用いるものとすることができる。【選択図】  図１
2014004042.tif 000002
【特許請求の範囲】
【請求項１】
有用な溶質および溶媒とからなる溶液を収容する霧化槽と、該霧化槽中の溶液を霧化するための超音波振動を発生する振動発生部とを備えてなり、該溶液の溶質微粒子を空気中に放出することのできる、有用溶質エアロゾル発生装置。
【請求項２】
前記振動発生部は、特定の周波数で振動する振動子を備えて構成されることを特徴とする、請求項１に記載の有用溶質エアロゾル発生装置。
【請求項３】
前記特定の周波数は２．４ＭＨｚ以上３．０ＭＨｚ以下であることを特徴とする、請求項２に記載の有用溶質エアロゾル発生装置。
【請求項４】
前記溶質が塩であることを特徴とする、請求項１ないし３のいずれかに記載の有用溶質エアロゾル発生装置。
【請求項５】
前記溶媒が水であることを特徴とする、請求項４に記載の塩エアロゾル発生装置。
【請求項６】
前記溶質微粒子は１０ｎｍ以上１０μｍ以下の粒径であることを特徴とする、請求項１ないし５のいずれかに記載の有用溶質エアロゾル発生装置。
【請求項７】
前記溶質微粒子の粒径分布は、５μｍ以下のものが１％以上９８％以下であることを特徴とする、請求項１ないし５のいずれかに記載の有用溶質エアロゾル発生装置。
【請求項８】
前記溶質微粒子の粒径分布は、１μｍ以下のものが１％以上３０％以下であることを特徴とする、請求項１ないし５のいずれかに記載の有用溶質エアロゾル発生装置。
【請求項９】
前記溶質微粒子は、凝集していない単独の粒子の個数が、１％以上９８％以下であることを特徴とする、請求項１ないし８のいずれかに記載の有用溶質エアロゾル発生装置。
【請求項１０】
前記溶質微粒子は、粒径１μｍ以下でありかつ凝集していない単独の粒子の個数が、１％以上９８％以下であることを特徴とする、請求項１ないし８のいずれかに記載の有用溶質エアロゾル発生装置。
【請求項１１】
前記溶媒には水が用いられ、屋内での使用の際に相対湿度が５０％以下となる程度に水蒸気が発生し、別途調湿手段や加湿手段を用いる必要がないことを特徴とする、請求項１ないし１０のいずれかに記載の有用溶質エアロゾル発生装置。
【請求項１２】
前記溶質が塩であり、ハロセラピー（塩微粒子療法）仕様のエアロゾル発生用として使用可能であることを特徴とする、請求項１ないし１１のいずれかに記載の有用溶質エアロゾル発生装置。
【請求項１３】
壁面、天井または床の少なくともいずれかの表面に塩の層が形成された部屋である塩製室内にて、前記ハロセラピー仕様のエアロゾル発生用として使用可能であることを特徴とする、請求項１２に記載の有用溶質エアロゾル発生装置。
【請求項１４】
相対湿度が５０％以下となるようポリビニルアルコール（ＰＶＡ）製フィルム、炭、またはその他の調湿手段が設けられている空間にて、前記ハロセラピー仕様のエアロゾル発生用として使用可能であることを特徴とする、請求項１２に記載の有用溶質エアロゾル発生装置。
【請求項１５】
請求項１ないし３のいずれかに記載の有用溶質エアロゾル発生装置を用い、該有用溶質エアロゾル発生装置の霧化槽に塩溶液を収容し、該装置を、壁面・天井または床の少なくともいずれかの表面に塩の層が形成された部屋である塩製室内にて運転することにより、不可視の塩微粒子を室内に浮遊させる、塩微粒子浮遊方法。
【請求項１６】
請求項１ないし３のいずれかに記載の有用溶質エアロゾル発生装置を用い、該有用溶質エアロゾル発生装置の霧化槽に塩溶液を収容し、該装置を、相対湿度が５０％以下となるようポリビニルアルコール（ＰＶＡ）製フィルム、炭、またはその他の調湿手段が設けられている空間にて運転することにより、不可視の塩微粒子を空間中に浮遊させる、塩微粒子浮遊方法。
【請求項１７】
ハロセラピー（塩微粒子療法）仕様の塩微粒子浮遊状態を形成可能であることを特徴とする、請求項１５または１６に記載の塩微粒子浮遊方法。
【請求項１８】
前記溶質が色料（染料、顔料）、接着剤、薬剤、化粧品、肥料、防虫剤、防腐剤、加工食品を含む食品、ミネラル、ビタミン類、タンパク質、油脂、香料、塗料、防水剤または洗剤のいずれかであることを特徴とする、請求項１に記載の有用溶質エアロゾル発生装置。
【請求項１９】
有用な溶質および溶媒とからなる溶液を収容する霧化槽と、該霧化槽中の溶液を霧化するための超音波振動を発生する振動発生部とを備えてなり、該溶液の溶質微粒子を空気中に放出することのできる、有用溶質エアロゾル発生構造。
【発明の詳細な説明】
【技術分野】
【０００１】
本発明は有用溶質エアロゾル発生装置、塩微粒子浮遊方法および有用溶質エアロゾル発生構造に係り、特にハロセラピー（塩微粒子療法）仕様のエアロゾルなどの有用な溶質が浮遊する空間を形成することができる、有用溶質エアロゾル発生装置、塩微粒子浮遊方法および有用溶質エアロゾル発生構造に関するものである。
【背景技術】
【０００２】
タラソテラピーは、水・海藻・海泥など海洋由来の成分が有するとされる一定の効果を生かして、身体機能回復・健康回復に役立てるとするヨーロッパの伝統的自然療法である。近年は我が国においても、肥満・生活習慣病・アトピー等の皮膚疾患に対する効果の他、ストレス解消、美容・ダイエット、スポーツ選手のコンディショニングなど、治療やリハビリテーション目的を超えて幅広く知られつつある。また北欧諸国では、塩を用いた健康法が従来から行われており、室内を塩で覆った部屋に一定時間滞在することにより、塩から気化するヨウ素等の有用物質を吸収して気管系・皮膚系疾患の症状を改善する「療法」もある。
【０００３】
我が国でも従来、「塩を用いた室内空間」に関する技術が種々提案されている。しかし、塩田法を背景とする海水貯留用濃塩水タンク・塩水加熱装置・蒸留膜モジュールを備えた装置（特開平１１−２４４６７０「濃塩水生成装置及び岩塩ルーム施工方法」）では、居住空間規模の塩製室製造には大がかり過ぎ、施工過程も重厚で、高コストとなる。また、壁面に沿って複数の塊状岩塩を積み上げ固定した岩塩壁面と、岩塩を敷き詰めた岩塩床とからなるサウナ浴室（特開２００５−２７０３４４「サウナ浴室」）は、特定仕様の温浴施設の施工法であり、居住空間規模の塩製室としては量産性に乏しく、汎用性もない。
【０００４】
そこで出願人は先に、塩の有する各種効果を得られる室内空間をより簡便・安価に形成できる、塩被覆パネルおよび塩製室を発明し、特許を取得した（特許文献１）。この発明・塩被覆パネルは、基板上に設けられた複数の繋ぎ材層を介して固形化塩層が形成され、繋ぎ材間にはセラミックス粉層が設けられたものであり、塩被覆パネルを既存の室内に張り付けることで、簡易かつ安価に塩製室を施工することができる。
【先行技術文献】
【特許文献】
【０００５】
【特許文献１】特開２００８−２５３３０５号公報「塩被覆パネル、その製造方法および塩製室」
【発明の概要】
【発明が解決しようとする課題】
【０００６】
さて上記塩被覆パネル発明によれば、簡易かつ安価に塩製室を提供することができ、現に出願人は当該特許発明に基づいて塩製室を実用化し、社会に提供してきた。しかしながら、塩製室の有する効果を、より容易に、かついかなる場所においても実現することができるようになれば、大いに便利である。また、塩によるハロセラピーのみならず、たとえば色料（染料、顔料）、接着剤、薬剤、化粧品、肥料、防虫剤、防腐剤、加工食品を含む食品、ミネラル、ビタミン類、タンパク質、油脂、塗料、防水剤または洗剤といった、エアロゾルの形態とすることが有用な物質を、容易にエアロゾル化できれば便利である。
【０００７】
そこで本発明が解決しようとする課題は、かかる従来技術を踏まえ、ハロセラピー（塩微粒子療法）仕様のエアロゾルが浮遊する空間を、容易に、かついかなる場所においても形成することができる、有用溶質エアロゾル発生装置、塩微粒子浮遊方法および有用溶質エアロゾル発生構造を提供することである。
【０００８】
また本発明が解決しようとする課題は、この他にも、色料（染料、顔料）、接着剤、薬剤、化粧品、肥料、防虫剤、防腐剤、加工食品を含む食品、ミネラル、ビタミン類、タンパク質、油脂、香料、塗料、防水剤または洗剤といったエアロゾルの形態とすることが有用な物質を容易にエアロゾル化することのできる、有用溶質エアロゾル発生装置および有用溶質エアロゾル発生構造を提供することである。
【課題を解決するための手段】
【０００９】
本願発明者は上記課題について検討した結果、超音波振動による溶液の霧化技術を用いることに基づいて課題解決が可能であることに想到し、本発明に至った。すなわち、上記課題を解決するための手段として本願で特許請求される発明、もしくは少なくとも開示される発明は、以下の通りである。
【００１０】
（１）  有用な溶質および溶媒とからなる溶液を収容する霧化槽と、該霧化槽中の溶液を霧化するための超音波振動を発生する振動発生部とを備えてなり、該溶液の溶質微粒子を空気中に放出することのできる、有用溶質エアロゾル発生装置。
（２）  前記振動発生部は、特定の周波数で振動する振動子を備えて構成されることを特徴とする、（１）に記載の有用溶質エアロゾル発生装置。
（３）  前記特定の周波数は２．４ＭＨｚ以上３．０ＭＨｚ以下であることを特徴とする、（２）に記載の有用溶質エアロゾル発生装置。
（４）  前記溶質が塩であることを特徴とする、（１）ないし（３）のいずれかに記載の有用溶質エアロゾル発生装置。
（５）  前記溶媒が水であることを特徴とする、（４）に記載の塩エアロゾル発生装置。
【００１１】
（６）  前記溶質微粒子は１０ｎｍ以上１０μｍ以下の粒径であることを特徴とする、（１）ないし（５）のいずれかに記載の有用溶質エアロゾル発生装置。
（７）  前記溶質微粒子の粒径分布は、５μｍ以下のものが１％以上９８％以下であることを特徴とする、（１）ないし（５）のいずれかに記載の有用溶質エアロゾル発生装置。
（８）  前記溶質微粒子の粒径分布は、１μｍ以下のものが１％以上３０％以下であることを特徴とする、（１）ないし（５）のいずれかに記載の有用溶質エアロゾル発生装置。
（９）  前記溶質微粒子は、凝集していない単独の粒子の個数が、１％以上９８％以下であることを特徴とする、（１）ないし（８）のいずれかに記載の有用溶質エアロゾル発生装置。
（１０）  前記溶質微粒子は、粒径１μｍ以下でありかつ凝集していない単独の粒子の個数が、１％以上９８％以下であることを特徴とする、（１）ないし（８）のいずれかに記載の有用溶質エアロゾル発生装置。
【００１２】
（１１）  前記溶媒には水が用いられ、屋内での使用の際に相対湿度が５０％以下となる程度に水蒸気が発生し、別途調湿手段や加湿手段を用いる必要がないことを特徴とする、（１）ないし（１０）のいずれかに記載の有用溶質エアロゾル発生装置。
（１２）  前記溶質が塩であり、ハロセラピー（塩微粒子療法）仕様のエアロゾル発生用として使用可能であることを特徴とする、（１）ないし（１１）のいずれかに記載の有用溶質エアロゾル発生装置。
（１３）  壁面、天井または床の少なくともいずれかの表面に塩の層が形成された部屋である塩製室内にて、前記ハロセラピー仕様のエアロゾル発生用として使用可能であることを特徴とする、（１２）に記載の有用溶質エアロゾル発生装置。
（１４）  相対湿度が５０％以下となるようポリビニルアルコール（ＰＶＡ）製フィルム、炭、またはその他の調湿手段が設けられている空間にて、前記ハロセラピー仕様のエアロゾル発生用として使用可能であることを特徴とする、（１２）に記載の有用溶質エアロゾル発生装置。
（１５）  （１）ないし（３）のいずれかに記載の有用溶質エアロゾル発生装置を用い、該有用溶質エアロゾル発生装置の霧化槽に塩溶液を収容し、該装置を、壁面・天井または床の少なくともいずれかの表面に塩の層が形成された部屋である塩製室内にて運転することにより、不可視の塩微粒子を室内に浮遊させる、塩微粒子浮遊方法、もしくは塩微粒子浮遊状態形成方法。
【００１３】
（１６）  （１）ないし（３）のいずれかに記載の有用溶質エアロゾル発生装置を用い、該有用溶質エアロゾル発生装置の霧化槽に塩溶液を収容し、該装置を、相対湿度が５０％以下となるようポリビニルアルコール（ＰＶＡ）製フィルム、炭、またはその他の調湿手段が設けられている空間にて運転することにより、不可視の塩微粒子を空間中に浮遊させる、塩微粒子浮遊方法、もしくは塩微粒子浮遊状態形成方法。
（１７）  ハロセラピー（塩微粒子療法）仕様の塩微粒子浮遊状態を形成可能であることを特徴とする、（１５）または（１６）に記載の塩微粒子浮遊方法、もしくは塩微粒子浮遊状態形成方法。
（１８）  前記溶質が色料（染料、顔料）、接着剤、薬剤、化粧品、肥料、防虫剤、防腐剤、加工食品を含む食品、ミネラル、ビタミン類、タンパク質、油脂、香料、塗料、防水剤または洗剤のいずれかであることを特徴とする、（１）に記載の有用溶質エアロゾル発生装置。
（１９）  有用な溶質および溶媒とからなる溶液を収容する霧化槽と、該霧化槽中の溶液を霧化するための超音波振動を発生する振動発生部とを備えてなり、該溶液の溶質微粒子を空気中に放出することのできる、有用溶質エアロゾル発生構造。
【発明の効果】
【００１４】
本発明の有用溶質エアロゾル発生装置、塩微粒子浮遊方法および有用溶質エアロゾル発生構造は上述のように構成されるため、これによれば、ハロセラピー（塩微粒子療法）仕様のエアロゾルが浮遊する空間を、容易に、かついかなる場所においても形成することができる。
【００１５】
また本発明有用溶質エアロゾル発生装置および有用溶質エアロゾル発生構造によれば、色料（染料、顔料）、接着剤、薬剤、化粧品、肥料、防虫剤、防腐剤、加工食品を含む食品、ミネラル、ビタミン類、タンパク質、油脂、香料、塗料、防水剤または洗剤といったエアロゾルの形態とすることが有用な物質を、容易にエアロゾル化することができる。
【図面の簡単な説明】
【００１６】
【図１】本発明の有用溶質エアロゾル発生装置の基本構成を示す説明図である。
【図２】図１に示す装置の使用状態を示す説明図である。
【図３】本発明有用溶質エアロゾル発生装置により生成・放出された塩微粒子の形態を示す走査電子顕微鏡写真である。
【図４】比較として食塩の形態を示す走査電子顕微鏡写真である。
【発明を実施するための形態】
【００１７】
以下、図面により本発明を詳細に説明する。
図１は、本発明の有用溶質エアロゾル発生装置の基本構成を示す説明図である。また図２は、図１に示す装置の使用状態を示す説明図である。これらに図示するように本有用溶質エアロゾル発生装置１０は、有用な溶質および溶媒とからなる溶液Ｓを収容する霧化槽２と、該霧化槽２中の溶液を霧化するための超音波振動を発生する振動発生部５とを備えていることを、主たる構成とする。振動発生部５は、特定の周波数で振動する振動子３と、振動子３を作動させる高周波発振回路４とを備えて構成される。また、ここにいう特定の周波数としては特に、２．４ＭＨｚ以上３．０ＭＨｚ以下のものを、好適に用いるものとすることができる。
【００１８】
かかる構成により本発明の有用溶質エアロゾル発生装置１０においては、有用な溶質および溶媒とからなる溶液Ｓが霧化槽２に収容された状態で、高周波発振回路４が作動させられ、これによって振動子３が特定の周波数にて振動させられ、霧化槽２中において所定の超音波振動が発生し、これにより溶液Ｓはその中の溶質が微粒子化された溶質微粒子となった状態で霧化されて霧化物となり、霧化物は図示しない送気手段によって送気口８から外部へと放出される。これにより、溶液Ｓ中の溶質は溶質微粒子となって、エアロゾルＺとして装置１０の置かれた空間中、空気中に放出される。
【００１９】
本発明の有用溶質エアロゾル発生装置１０を用いることにより、溶質微粒子は、放出後の粒径が１０ｎｍ以上１０μｍ以下という微細な溶質微粒子を生成して空気中に放出することができる。また、特に特定の周波数として２．４ＭＨｚ以上３．０ＭＨｚ以下のものを用いる構成の装置とすることにより、放出後の粒径５μｍ以下のものが１％以上となる粒径分布にて、溶質微粒子を生成・放出することができる（％は個数。すなわち、「１％」は１００個中１個の意味。以下も同様。）。なお、溶質微粒子の形状は溶質種類その他によってさまざまであるため、粒径とは微粒子における長径（最も長い差し渡し距離）をいうものとする。
【００２０】
図３は、本発明有用溶質エアロゾル発生装置により生成・放出された塩微粒子の形態を示す走査電子顕微鏡写真である。また、
図４は、比較として同じ観察条件により観察、撮影した、食塩の形態を示す走査電子顕微鏡写真である。これらに示されるように、本発明の有用溶質エアロゾル発生装置を用いることにより、通常の食塩とは全く異なって、放出後の粒径５μｍ以下のものが５０％以上となる粒径分布状態にて、あるいは８０％以上、さらには９５％以上となるような粒径分布状態にて、溶質微粒子を生成して空気中に放出することも十分に可能である。また、１μｍ以下のものが１％以上となる粒径分布状態にて、あるいは２０％以上、さらには３０％以上となる粒径分布状態にて、生成・放出することも、十分に可能である。
【００２１】
また本発明の有用溶質エアロゾル発生装置によれば、放出後において、凝集していない単独の溶質微粒子の個数が１％以上となるような状態で、溶質微粒子を生成・放出することができる。図３に示すように、放出後において、凝集していない単独の溶質微粒子の個数が５０％以上となるような状態、あるいは８０％以上、さらには９５％以上となるような状態にて、溶質微粒子を生成・放出することもできる。
【００２２】
また本発明の有用溶質エアロゾル発生装置によれば、放出後において、粒径１μｍ以下でありかつ凝集していない単独の粒子の個数が１％以上９８％以下となるような状態にて、溶質微粒子を生成・放出することもできる。
【００２３】
図３、４の例でも示したとおり、本発明の有用溶質エアロゾル発生装置において、溶質として塩（食塩、その他含む。）を用いて、特に塩微粒子生成・放出用の目的に特化して用いることもできる。たとえば塩として食塩を用い、溶媒に水を用いて濃度１％程度（重量）の塩水を調製し、これを本装置の霧化槽に入れて装置を運転すれば、塩微粒子を生成して空気中にエアロゾルの形態で塩微粒子を放出することができる。
【００２４】
本装置により、微細で、安定した形状の塩微粒子を得られる。特に塩として食塩を用いた場合、微細な微粒子の多い粒径分布となり、また凝集も生成しにくい。一試験例によると、食塩を用いてエアロゾルとして得た塩微粒子は、おおむね粒径２０ｎｍ〜２０μｍであり、特に、３５０ｎｍ〜１．５μｍという極めて微細な粒径のものが５０％以上であった。このようなサイズや粒径分布の塩微粒子であれば、味を感じないことはもちろん、肺の奥まで塩の微粒子が十分に届くため、ハロセラピー同様の効果の発揮が十分に期待できる。つまり、ハロセラピー（塩微粒子療法）仕様の塩微粒子浮遊状態を形成することができる。したがって本発明装置は、ハロセラピー仕様のエアロゾル発生用として使用することができる。
【００２５】
本発明有用溶質エアロゾル発生装置では、溶媒として水を用い、屋内での使用の際に相対湿度が５０％以下となる程度に水蒸気を発生せしめる運転が可能である。従来の超音波加湿器を用いた塩水霧装置では、運転中に湿度が低下するために、別途調湿手段を併用する必要があったが、本発明の装置によれば、別途調湿手段や加湿手段を用いる必要がない。
【００２６】
本発明有用溶質エアロゾル発生装置をハロセラピー仕様のエアロゾル発生用として使用する場合、たとえば、壁面、天井または床の少なくともいずれかの表面に塩の層が形成された部屋であるところの塩製室内にて運転することとしてもよい。つまり、本装置の霧化槽に塩溶液を収容して製室内にて運転し、不可視の塩微粒子を塩製室内に浮遊させる。かかる使用方法により、本装置による塩微粒子エアロゾルの放出による作用と塩製室により得られる作用の両方が得られ、所望の効果を高めることができる。すなわちこれにより、ハロセラピー仕様の塩微粒子浮遊状態形成効果を高めることができる。
【００２７】
また、上述のように本有用溶質エアロゾル発生装置は敢えて調湿用手段を併用する必要はないが、相対湿度が５０％以下となるようポリビニルアルコール（ＰＶＡ）製フィルム、炭、またはその他の調湿手段が設けられている空間にて本装置を用いて、不可視の塩微粒子を塩製室内に浮遊させるることとしてもよい。すなわちこれにより、ハロセラピー仕様の塩微粒子浮遊状態形成効果を高めることができる。
【００２８】
本装置の基本構成は、超音波振動を用いた霧化装置であり、特に説明する以外の機能・構成については、かかる従来の霧化装置における技術を適宜用いることができる。すなわちたとえば、使用する部屋などの空間の広さ、容積に応じたインターバル運転や、噴霧量の調整、ファン等の送気手段による送気量・送気方向の調整などを行うための具体的仕様・設計には、従来公知の技術を適宜用いることができる。
【００２９】
以上、主に有用溶質エアロゾル発生装置を中心として本発明を説明したが、本発明はこれらに限定されない。独立した装置としてのみならず、有用な溶質および溶媒とからなる溶液を収容する霧化槽と、霧化槽中の溶液を霧化するための超音波振動を発生する振動発生部とを備えてなり、溶液の溶質微粒子を空気中に放出することのできる有用溶質エアロゾル発生構造もまた、本発明の範囲内である。たとえば、塩を用いたネブライザー中に本有用溶質エアロゾル発生構造を組み込んで用いることができる。
【００３０】
本発明有用溶質エアロゾル発生装置または本発明有用溶質エアロゾル発生構造は、塩溶液による塩微粒子エアロゾル生成・放出のみならず、種々の有用な溶質のエアロゾル生成・放出に用いることができる。溶質として色料（染料、顔料）あるいは塗料を用いて染色・着色・塗装工程などに、また溶質として接着剤を用いて各種の接着工程に、その他薬剤、農薬、化粧品、肥料、防虫剤、防腐剤、加工食品を含む食品、ミネラル、ビタミン類、タンパク質、油脂、香料、防水剤または洗剤など、幅広い産業分野で応用することができる。
【産業上の利用可能性】
【００３１】
本発明の有用溶質エアロゾル発生装置、塩微粒子浮遊方法および有用溶質エアロゾル発生構造によれば、ハロセラピー（塩微粒子療法）仕様のエアロゾルが浮遊する空間を、容易に、かついかなる場所においても形成することができる。また、色料（染料、顔料）、接着剤、薬剤、化粧品、香料、肥料といったさまざまな有用な物質を、容易にエアロゾルの形態として放出することがができる。したがって、極めて広範な産業分野において産業上利用性が高い発明である。
【符号の説明】
【００３２】
２…霧化槽
３…振動子
４…高周波発振回路
５…振動発生部
８…送気部
９…筐体
１０…有用溶質エアロゾル発生装置
Ｓ…溶液
Ｚ…エアロゾル
【図１】
2014004042.tif 000003
【図２】
2014004042.tif 000004
【図３】
2014004042.tif 000005
【図４】
2014004042.tif 000006